(57)【要約】【課題】  本発明は、自動車等の窓等に使用する着脱自在な日除け具であって、吸盤を日除け布部に一体的に固着して吸盤の取付けの煩わしさがないようにしたものである。【解決手段】  吸盤の吸着部は端部にフランジ部を設けた棒状部を吸着面の裏側から突出しており、吸盤の操作部は端部にフランジ部を設けた棒状部を有しており、吸着部と操作部とは別体に形成するとともに日除け布部を挟んで両フランジ部が溶着されて日除け布部に一体的に固着することにより、簡単な構造の吸着部と操作部とを日除け布部に高周波溶着等により強固に固着するようにしたものである。【選択図】図６
2007001410.tif 000002
【特許請求の範囲】
【請求項１】
日除け布部と、日除け布部の外周に設けられた枠部と、吸着部および操作部を有する吸盤とを備えた日除け具において、吸盤は日除け布部を挟んで一方側に吸着部が位置し、他方側にリング状の操作部が位置するように日除け布部に一体的に固着していることを特徴とする日除け具。
【請求項２】
吸盤の吸着部は端部にフランジ部を設けた棒状部を吸着面の裏側から突出しており、吸盤の操作部は端部にフランジ部を設けた棒状部を有しており、吸着部と操作部とは別体に形成するとともに日除け布部を挟んで両フランジ部が溶着されて日除け布部に一体的に固着していることを特徴とする請求項１に記載の日除け具。
【発明の詳細な説明】
【技術分野】
【０００１】
本発明は、自動車の窓や住居、オフィス等の窓ガラス等に用いる着脱自在な日除け具に関するものである。
【背景技術】
【０００２】
従来、図７および図８に示す日除け具が知られている。図７および図８において、１１は日除け具であり、日除け具１１は日除け布部１２、日除け布部１２の外周に設けられた枠部１３、吸盤１４を備えている。
吸盤１４は、先端に吸着部１４ｂ、中央に棒部１４ｄ、後端に指を引っ掛ける操作部１４ｃを一体に設けるとともに、吸着部１４ｂの外周に一端につまみ片１４ｅ１を形成した開口紐１４ｅを一体に設けている。
【０００３】
１６は日除け布部１２の中央に設けたリング状の補強板１４ａにより形成した孔であり、吸盤１４の棒部１４ｄおよび操作部１４ｃを孔１６に挿通して吸盤１４を日除け布部１２に取付けるのである。また、吸盤１４の棒部１４ｄおよび操作部１４ｃを孔１６から抜くことにより、吸盤１４を日除け布部１２から取り外すことができる。なお、１５は窓である。（例えば、特許文献１参照）。
【特許文献１】実用新案登録第３００１６７９号  公報
【発明の開示】
【発明が解決しようとする課題】
【０００４】
従来の日除け具は、吸盤を日除け布部に設けた孔に着脱自在としているため、吸盤を取付けるのに煩わしさがあり、かつ、吸盤が日除け布部から外れやすいため日除け具の不使用時に吸盤を失うという問題がある。
なお、吸盤を日除け布部から外れ難くするため孔を小さくすれば、吸盤を日除け布部に取付け難くなるという問題もある。
【０００５】
本発明は、このような従来の構成が有していた問題を解決しようとするものであり、吸盤を日除け布部に一体的に固着して吸盤の取付けの煩わしさのない日除け具を実現することを目的とするものである。
【課題を解決するための手段】
【０００６】
請求項１に係る本発明は、日除け布部と、日除け布部の外周に設けられた枠部と、吸着部および操作部を有する吸盤とを備えた日除け具において、吸盤は日除け布部を挟んで一方側に吸着部が位置し、他方側にリング状の操作部が位置するように日除け布部に一体的に固着している日除け具である。
【０００７】
請求項２に係る本発明は、請求項１に係る本発明の構成に加え、さらに、吸盤の吸着部は端部にフランジ部を設けた棒状部を吸着面の裏側から突出しており、吸盤の操作部は端部にフランジ部を設けた棒状部を有しており、吸着部と操作部とは別体に形成するとともに日除け布部を挟んで両フランジ部が溶着されて日除け布部に一体的に固着している日除け具である。
【０００８】
請求項１に係る本発明による作用は、吸盤は日除け布部を挟んで一方側に吸着部が位置し、他方側にリング状の操作部が位置するように日除け布部に一体的に固着しているから、吸盤を利用して簡単に日除け具を窓などに取付けることができる。
【０００９】
請求項２に係る本発明の作用は、請求項１に係る本発明による作用に加え、吸盤の吸着部は端部にフランジ部を設けた棒状部を吸着面の裏側から突出しており、吸盤の操作部は端部にフランジ部を設けた棒状部を有しており、吸着部と操作部とは別体に形成するとともに日除け布部を挟んで両フランジ部が溶着されて日除け布部に一体的に固着しているから、日除け布部への吸盤の固着が強固である。
【発明の効果】
【００１０】
請求項１に係る本発明は、吸盤は日除け布部を挟んで一方側に吸着部が位置し、他方側にリング状の操作部が位置するように日除け布部に一体的に固着しているから、吸盤を着脱自在とする孔を日よけ布部に形成する必要がなく、構造が簡単であり、吸盤を日除け布部に取付ける煩わしさがない。
【００１１】
請求項２に係る本発明は、請求項１に係る本発明の効果に加え、吸盤の吸着部は端部にフランジ部を設けた棒状部を吸着面の裏側から突出しており、吸盤の操作部は端部にフランジ部を設けた棒状部を有しており、吸着部と操作部とは別体に形成するとともに日除け布部を挟んで両フランジ部が溶着されて日除け布部に一体的に固着しているから、簡単な構造の吸着部と操作部とを溶着により日除け布部に一体的に強固に固着することができる。
【発明を実施するための最良の形態】
【００１２】
以下、本発明の実施の形態を添付した図面により詳細に説明する。
図１〜図６は、本発明の実施の形態を示す図である。
図１は日除け具の正面図、図２は図１の裏面図、図３は図１の部分斜視図、図４は図２の部分斜視図、図５は吸盤を日除け布部に取付ける前の側面図、図６は吸盤を日除け布部に取付けた後の側断面図ある。
【００１３】
まず、図１および図２に基づいて、日除け具の全体構成を説明する。１は日除け具であり、日除け具１は、日除け布部２と、日除け布部２の外周に設けられた枠部３と、吸着部５および操作部６を有する吸盤４と、日除け布部２の一端部に設けられたバンド部７とを備えている。
【００１４】
日除け布部２は、図５および図６に示すように、ナイロン、ポリエステルなどの合成樹脂繊維からなり、先行および後行からなる２本使いの針による経編みであって吸盤４の吸着部５側が白色系の糸２ａで吸盤４の操作部６側が黒色系の糸２ｂで編まれており、白色系の糸２ａにより外側からの光の反射を大きくし、黒色系の糸２ｂにより内側から外側を見やすくしている。
また、日除け布部２は、材料の軟化温度でヒートセットすることにより、剛性および弾力性を付与している。
【００１５】
枠部３は、内部に断面扁平薄型の加工ばね鋼を有し、加工ばね鋼の両端部を鞘に入れてカシメによりリング状とし、ナイロン、ポリエステルなどの合成繊維からなる織布により、縁取りを行っており、弾性変形が可能である。
【００１６】
バンド部７は、ゴム編みにより伸縮可能としている。このバンド部７の使用例としては、日除け具１の長手方向両辺を両手で持って８の字にまげるようにひねり、重ねるように畳んで、バンド部７で縛ることにより小さくでき、収納が便利となる。
【００１７】
次に、吸盤４および吸盤４を日除け布部２に一体的に固着する構成について、図３〜図６に基づいて説明する。
【００１８】
吸盤４は、塩化ビニル樹脂（ＰＶＣ）製で、吸着部５と操作部６とを別体に形成している。吸着部５は端部にフランジ部５ａを設けた棒状部５ｂを吸着面５ｃの裏側５ｄから突出し、操作部６は端部にフランジ部６ａを設けた棒状部６ｂを有している。
【００１９】
吸盤４は、別体に形成した吸着部５と操作部６とを、図５のように日除け布部２の所定位置に対向させ、日除け布部２を挟んで両フランジ部５ａ、６ａを密着させて電極間に挟み、圧力をかけながら数秒高周波加熱をし、圧力をかけたまま高周波を遮断し、冷却することにより、強固な溶着をする。図６において、８が環状の溶着部である。
【００２０】
この実施の形態では、日除け布部２に孔を開けることなく、吸盤４を固着することができるので、日除け布部２の強度が損なわれることがない。
また、この実施の形態では、日除け布部２への吸盤４の固着を高周波溶着（高周波溶接）で行ったので、吸盤４を日除け布部２に強固に固着することができる。
【００２１】
なお、日除け布部２への吸盤４の固着は、高周波溶着に代えて各種の固着手段をとることができる。例えば、超音波溶着（超音波溶接）、接着剤による接着などでもよい。
【図面の簡単な説明】
【００２２】
【図１】本発明の実施の形態を示す正面図。
【図２】本発明の実施の形態を示す裏面図。
【図３】図１の部分斜視図。
【図４】図２の部分斜視図。
【図５】本発明の実施の形態を示す吸盤を日除け布部に取付ける前の側面図。
【図６】本発明の実施の形態を示す吸盤を日除け布部に取付けた後の側断面図。
【図７】従来例に係る日除け具の正面図。
【図８】図７の一部縦断面側面図。
【符号の説明】
【００２３】
１    日除け具
２    日除け布部
３    枠部
５    吸着部
５ａ  フランジ部
５ｂ  棒状部
５ｃ  吸着面
５ｄ  裏側
６    操作部
６ａ  フランジ部
６ｂ  棒状部
【図１】
2007001410.tif 000003
【図２】
2007001410.tif 000004
【図３】
2007001410.tif 000005
【図４】
2007001410.tif 000006
【図５】
2007001410.tif 000007
【図６】
2007001410.tif 000008
【図７】
2007001410.tif 000009
【図８】
2007001410.tif 000010